(57)【要約】    【課題】文字入力ウィンドウにおいて、ユーザが文字を入力しながら容易に文字入力容量を確認することのできる文字入力容量の表示方法及び端末機を提供する。    【解決手段】端末機の文字入力ウィンドウにおける文字入力容量の表示方法は、文字が入力される段階（Ｓ３０２）と、入力された文字を用いて文字入力容量を計算する段階（Ｓ３０４〜Ｓ３０８）と、前記入力された文字を表示するとともに、該入力された文字の表示方向の後方に前記（ｂ）段階で計算された文字入力容量を表示する段階（Ｓ３１０）と、を含む。【選択図】図２
2007149105.tif 000002
【特許請求の範囲】
【請求項１】
文字入力ウィンドウにおける文字入力容量の表示方法であって、
（ａ）文字が入力される段階と、
（ｂ）入力された文字を用いて文字入力容量を計算する段階と、
（ｃ）前記入力された文字を表示するとともに、該入力された文字の表示方向の後方に前記（ｂ）段階で計算された文字入力容量を表示する段階と、
を含む文字入力容量の表示方法。
【請求項２】
文字入力ウィンドウにおける文字入力容量の表示方法であって、
（ａ）文字が入力される段階と、
（ｂ）入力された文字を用いて文字入力容量を計算する段階と、
（ｃ）前記入力された文字を表示するとともに、前記（ｂ）段階で計算された文字入力容量に応じて前記文字入力ウィンドウで表示される所定要素の色を変更する段階と、
を含む文字入力容量の表示方法。
【請求項３】
前記文字入力容量は、すでに入力されている文字の容量であることを特徴とする請求項１又は請求項２記載の文字入力容量の表示方法。
【請求項４】
前記文字入力容量は、文字入力が可能な容量であることを特徴とする請求項１又は請求項２記載の文字入力容量の表示方法。
【請求項５】
前記（ｃ）段階は、前記文字入力容量を、次の文字入力位置を示すカーソルに隣接して表示することを特徴とする請求項１記載の文字入力容量の表示方法。
【請求項６】
前記表示される文字入力容量の色を、前記（ｂ）段階での結果値に応じて変更することを特徴とする請求項１記載の文字入力容量の表示方法。
【請求項７】
前記色は、ＲＧＢカラーモデル又はＨＳＢカラーモデルを用いて表現されることを特徴とする請求項２又は請求項６記載の文字入力容量の表示方法。
【請求項８】
前記所定要素は、前記入力された文字であることを特徴とする請求項２記載の文字入力容量の表示方法。
【請求項９】
前記所定要素は、カーソルであることを特徴とする請求項２記載の文字入力容量の表示方法。
【請求項１０】
前記所定要素は、前記文字入力ウィンドウの背景画面であることを特徴とする請求項２記載の文字入力容量に表示方法。
【請求項１１】
前記所定要素は、前記入力された文字に付されるアンダーラインであることを特徴とする請求項２記載の文字入力容量の表示方法。
【請求項１２】
文字入力に使用されるキー入力部と、
文字入力ウィンドウを表示するディスプレイ部と、
前記キー入力部を介して入力された文字の容量を用いて文字入力容量を計算し、計算された文字入力容量を前記入力された文字とともに前記ディスプレイ部に表示するように制御する制御部と、
を含んで構成され、
前記文字入力容量は、前記入力された文字の表示方向の後方に表示されることを特徴とする端末機。
【請求項１３】
文字入力に使用されるキー入力部と、
文字入力ウィンドウを表示するディスプレイ部と、
前記キー入力部を介して入力された文字を前記ディスプレイ部に表示するように制御するとともに、前記入力された文字の容量を用いて文字入力容量を計算し、計算された文字入力容量に応じて前記文字入力ウィンドウで表示される所定要素の色を変更するように制御する制御部と、
を含んで構成されることを特徴とする端末機。
【請求項１４】
前記文字入力容量は、すでに入力されている文字の容量であることを特徴とする請求項１２又は請求項１３記載の端末機。
【請求項１５】
前記文字入力容量は、文字入力が可能な容量であることを特徴とする請求項１２又は１３記載の端末機。
【請求項１６】
前記制御部は、前記文字入力容量をカーソルに隣接して表示するように制御することを特徴とする請求項１２記載の文字入力容量を表示する機能を有する端末機。
【請求項１７】
前記制御部は、前記計算された文字入力容量に応じて前記表示される文字入力容量の色を変更することを特徴とする請求項１２記載の端末機。
【請求項１８】
前記色は、ＲＧＢカラーモデル又はＨＳＢカラーモデルを用いて表現されることを特徴とする請求項１３又は請求項１７記載の端末機。
【請求項１９】
前記所定要素は、前記入力された文字であることを特徴とする請求項１３記載の端末機。
【請求項２０】
前記所定要素は、カーソルであることを特徴とする請求項１３記載の端末機。
【請求項２１】
前記所定要素は、前記文字入力ウィンドウの背景画面であることを特徴とする請求項１３記載の端末機。
【請求項２２】
前記所定要素は、前記入力された文字に付されるアンダーラインであることを特徴とする請求項１３記載の端末機。
【発明の詳細な説明】
【技術分野】
【０００１】
本発明は、入力した文字の容量や文字入力が可能な容量などの文字入力容量の表示方法に関し、詳しくは、ユーザが文字を入力しながら容易に文字入力容量を確認することのできる文字入力容量の表示方法及び端末機に関する。
【背景技術】
【０００２】
最近の移動通信端末機は、音声通話機能のみならず、ＳＭＳ（Ｓｈｏｒｔ  Ｍｅｓｓａｇｅ  Ｓｅｒｖｉｃｅ）、ＬＭＳ（Ｌｏｎｇ  Ｍｅｓｓａｇｅ  Ｓｅｒｖｉｃｅ）、ＭＭＳ（Ｍｕｌｔｉ  Ｍｅｓｓａｇｅ  Ｓｅｒｖｉｃｅ）などの各種メッセージの伝送機能を備えている。メッセージ伝送は、特に、簡単な内容を伝えたり、音声通話ができなかったりするような場合に利用されているが、簡便で音声通話よりも料金を節約できるため、メッセージの利用がますます増加してきている。
【０００３】
なお、移動通信端末機の画面に表示される任意のメッセージを無線で伝送する方法としては、ＷＡＰ（Ｗｉｒｅｌｅｓｓ  Ａｐｐｌｉｃａｔｉｏｎ  Ｐｒｏｔｏｃｏｌ）などを用いる方法が挙げられる。
【０００４】
文字メッセージは、ＰＣ通信やインターネット接続を通して移動通信端末機に伝送されたり、その反対に、移動通信端末機からインターネットに伝送されたりする。また、最近では、移動通信端末機、無線通信端末機などの様々な端末機によって自由に文字メッセージを送受信することができるようになっており、また、他社通信サービスを利用しての文字メッセージの送受信も可能になっている。
【発明の開示】
【発明が解決しようとする課題】
【０００５】
ところで、従来の端末機においては、図５に示すように、メッセージ入力ウィンドウのメッセージ表示領域以外の部分（例えば、画面の上端や下端）に、「入力された文字容量／最大容量」や使用パーセントなどの文字入力容量が表示される。
【０００６】
そのため、ユーザがメッセージの作成中に残りの容量を確認するには、画面の上端や下端に視線を移動させる必要があり、非常に不便であった。また、その場合には、文字入力を一旦中断せざるを得ないことから、メッセージ作成時間が長くなる。
【０００７】
さらに、通常、ユーザの視線は、入力した文字の表示方向に沿って移動するので、メッセージ表示領域とは別の領域にある文字入力容量を見なくなることも考えられ、文字入力容量の表示が無意味になってしまうおそれもある。
【０００８】
本発明は、以上のような課題に着目してなされたものであり、その目的は、ユーザが文字を入力しながら容易に文字入力容量を確認することのできる文字入力容量の表示方法及び端末機を提供することにある。
【課題を解決するための手段】
【０００９】
そのため、本発明は、文字入力ウィンドウにおける文字入力容量の表示方法であって、（ａ）文字が入力される段階と、（ｂ）入力された文字を用いて文字入力容量を計算する段階と、（ｃ）前記入力された文字を表示するとともに、該入力された文字の表示方向の後方に前記（ｂ）段階で計算された文字入力容量を表示する段階と、を含むことを特徴とする。
【００１０】
また、本発明は、文字入力ウィンドウにおける文字入力容量の表示方法であって、（ａ）文字が入力される段階と、（ｂ）入力された文字を用いて文字入力容量を計算する段階と、（ｃ）前記入力された文字を表示するとともに、前記（ｂ）段階で計算された文字入力容量に応じて前記文字入力ウィンドウに表示される所定要素の色を変更する段階と、を含むことを特徴とする。
【００１１】
また、本発明は、端末機であって、文字入力に使用されるキー入力部と、文字入力ウィンドウを表示するディスプレイ部と、前記キー入力部を介して入力された文字の容量を用いて文字入力容量を計算し、計算された文字入力容量を前記入力された文字とともに前記ディスプレイ部に表示するように制御する制御部と、を含んで構成され、前記文字入力容量は、前記入力された文字の表示方向の後方に表示されることを特徴とする。
【００１２】
また、本発明は、端末機であって、文字入力に使用されるキー入力部と、文字入力ウィンドウを表示するディスプレイ部と、前記キー入力部を介して入力された文字を前記ディスプレイ部に表示するように制御するとともに、前記入力された文字の容量を用いて文字入力容量を計算し、計算された文字入力容量に応じて前記文字入力ウィンドウで表示される所定要素の色を変更するように制御する制御部と、を含んで構成されることを特徴とする。
【００１３】
ここで、上記文字入力容量には、すでに入力された文字の容量（又は文字数）やこれから文字入力が可能な容量（又は文字数）に関する値が含まれる。また、前記文字入力ウィンドウで表示される所定要素には、文字（入力された文字を含む）、カーソル、入力された文字に付されるアンダーライン、背景画面などが含まれる。
【発明の効果】
【００１４】
本発明によると、ユーザは文字を入力しながら容易に文字入力容量を確認することができる。このため、例えば、文字メッセージを伝送するために文字を入力するときに、ユーザは文字入力容量（入力可能な文字容量等）を確認するために文字入力を中断することがなく、また、ユーザの視線の移動を最小化できるので、文字の入力（メッセージ作成）時間を短縮できるという効果がある。
【発明を実施するための最良の形態】
【００１５】
以下、本発明の好ましい実施形態について添付図面に基づいて詳細に説明する。
【００１６】
本発明は、主としてメッセージ入力ウィンドウで文字メッセージを作成するときに用いられる。但し、メッセージ機能に限るものではなく、文字の入力容量が制限されている他の機能、例えば、スケジューラ機能、アラーム機能、記念日機能又はメモ帳機能などにおいても用いられる。
【００１７】
なお、本明細書における「文字入力容量」という用語は、文字入力が可能な容量や入力された文字の容量に関する情報を言い、容量そのものに加えて、使用容量パーセントや使用可能容量パーセントなども含まれる。さらに、容量を文字数に変換し、その時点で入力できる文字数（入力可能文字数）やすでに入力された文字数（入力文字数）としたものも含まれる。
【００１８】
また、本明細書における「色表示子」という用語は、色により「文字入力容量」を示すために用いられる対象（要素）のことをいい、言い換えれば、文字入力ウィンドウで表示される各要素のうち文字入力容量に応じて色が変更されるように設定されたものをいう。この「色表示子」、すなわち、文字入力ウィンドウで表示される所定要素には、文字（入力された文字を含む）、入力された文字に付されるアンダーライン、カーソル、文字入力ウィンドウの背景画面などが含まれる。
【００１９】
図１は、本発明の一実施形態に係る端末機の構成を概略的に示したブロック図である。
【００２０】
図１に示すように、本実施形態に係る端末機は、メモリ２０２と、キー入力部２０４と、制御部２０６と、ディスプレイ部２０８とを含んで構成される。
【００２１】
ここで、端末機には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、Ｗ−ＣＤＭＡ（Ｗｉｄｅｂａｎｄ  ＣＤＭＡ）フォン、ＣＤＭＡ-２０００フォン及びＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）フォンなどを含む移動通信端末機、マルチメディアプレーヤー又はＰＣ（Ｐｅｒｓｏｎａｌ  Ｃｏｍｐｕｔｅｒ）などを様々なものが含まれる。
【００２２】
メモリ２０２は、端末機の全般的な動作を制御するための所定のプログラムを保存しており、制御部２０６によって端末機の全般的な動作が行われるときに入出力されるデータを、所定の設定領域に保存している。
【００２３】
また、メモリ２０２は、文字入力容量を表示する動作を制御するための所定のプログラムも保存している。さらには、伝送可能な最大伝送容量と関連するデータ、色表示子の色変更に関するデータ、文字入力容量（文字入力が可能な容量）が０である場合に表示される文字に関するデータなどを保存しており、制御部２０６の要請によって必要なデータを伝送する。
【００２４】
ここで、最大伝送容量とは、文字メッセージの伝送が許容される文字入力に関する容量（すなわち、最大容量）をいい、通常は、端末機に応じて異なる値に設定される。また、選択されたメッセージ伝送機能の種類によっても異なり、ユーザによって設定される場合もある。
【００２５】
色表示子（すなわち、所定要素）の色は、文字入力容量の比率に応じて異なる。ここで、色は、ＲＧＢカラーモデル又はＨＳＢカラーモデルを用いて示される。すなわち、色表示子の色は、例えば、以下の表１又は表２のように設定される。
【００２６】
【表１】
2007149105.tif 000003
【００２７】
ここで、色の指定は、ユーザによって設定されるか、又はデフォルト設定されている。
【００２８】
【表２】
2007149105.tif 000004
【００２９】
上記のような色表示子の色は、ユーザによって設定されるか、又はデフォルト設定されている。
【００３０】
また、文字入力容量（文字入力が可能な容量）が０である場合、すなわち、これ以上文字入力が行えない場合には、文字入力容量に代えて、「ｆｕｌｌ」、「ｅｎｄ」又は他の特定文字などが表示されるようになっている。この場合に表示される文字は、デフォルト設定されているか、ユーザによって設定される。
【００３１】
キー入力部２０４は、文字のみならず、電話番号などの数字を入力するための多数のキーボタンを備えている。また、キー入力部２０４は、キーパッド、ジョグシャトル、ポイントスティック又はタッチスクリーンなどで構成される。
【００３２】
キー入力部２０４は、ユーザがメッセージを作成するために文字を入力すると、入力された文字に対応する信号を発生し、これを制御部２０６に伝送する。ここで、文字には、一般テキストのみならず、特殊文字も含まれる。
【００３３】
ディスプレイ部２０８は、各種の情報を表示する液晶ディスプレイ部を含んでおり、現在の端末機の状態等を表示してユーザに知らせることで、ユーザが端末機を適切に制御できるようにする。ディスプレイ部２０８は、例えば、電源の状態（バッテリ残量等）、基地局等からの電波（伝播信号）の受信感度、日付と時刻、現在のモード状態、その他のユーザ情報などの多様な情報を表示する。
【００３４】
また、ディスプレイ部２０８は、ユーザがメッセージ入力メニューを選択すると、メッセージ入力ウィンドウを表示し、制御部２０６からユーザが入力した文字に対応する信号を受信して、入力された文字をメッセージ入力ウィンドウに表示する。さらに、ディスプレイ部２０８は、ユーザがスケジューラメニュー、記念日メニュー又はメモ帳メニューなどを選択すると、該当する入力ウィンドウを表示する。これらの入力ウィンドウが文字入力ウィンドウに相当する。
【００３５】
さらにまた、ディスプレイ部２０８は、制御部２０６から受信した信号によってユーザが入力した文字を表示しながら、該文字の表示方向に沿って、より具体的には、入力された文字に続いて文字入力容量を表示する。このときの文字入力容量の表示方法には多様な方法があり、これに対しては、制御部２０６に対する説明のところで述べる。
【００３６】
制御部２０６は、端末機の最も核心となる部分として端末機の全般的な動作を制御する。すなわち、制御部２０６は、その内部に算術論理演算器、レジスタ、プログラムカウンタ、命令デコーダ、制御回路などを含んでおり、端末機の全ての動作が適切に行われるように制御する。
【００３７】
また、制御部２０６は、キー入力部２０４から受信した信号を用いて文字入力容量を計算し、この計算された文字入力容量を、ディスプレイ部２０８における文字の表示方向に従って動的に表示するように制御する。すなわち、ユーザの文字入力に応じて文字入力容量の表示位置を変化させ、ユーザが入力した文字の後に文字入力容量を表示するように制御する。
【００３８】
ここで、文字入力容量は、ユーザによって入力された文字の容量又は文字入力が可能な容量である。制御部２０６は、文字入力容量が入力可能な容量である場合には、入力される文字のモードに応じて文字入力容量を計算する。例えば、文字モードが韓国語である場合には１字を２バイトに定め、文字モードが英語である場合はアルファベット１個を１バイトに定めて入力可能な容量を計算する。なお、文字モードが日本語又は中国語である場合には、用いられるコード体系によって１字（１個）当たりのバイトが変わる。また、文字モードが特殊文字や絵文字である場合には、各文字に設定されたバイト数によって文字入力容量が変わる。
【００３９】
また、文字入力容量は公知の方法によって、バイト、パーセント（％）又は文字数で計算される。文字入力容量が文字数として計算される場合、文字モードが変更されると、変更された文字モードにしたがって文字数が計算される。例えば、文字モードがハングルで文字数が５０字であった場合に、文字モードがハングルから英字に変更されると文字数が１００字に計算される。
【００４０】
また、ＬＭＳ（Ｌｏｎｇ  Ｍｅｓｓａｇｅ  Ｓｅｒｖｉｃｅ）のように複数ページにわたるメッセージを作成する場合には、制御部２０６は、残りのページと現在作成中のページにおける文字入力容量を計算する。
【００４１】
さらに、制御部２０６は、キー入力部２０４から受信した信号をディスプレイ部２０８に伝送し、ユーザによって入力された文字をディスプレイ部２０８に表示するように制御する。さらにまた、制御部２０６は、計算された文字入力容量を、ディスプレイ部２０８における文字の表示方向の終端に表示するか、カーソルの隣接部や最終表示文字の上下に表示する。ここで、「カーソル」は、次に入力される文字の位置を表示する記号を意味するものとして用いている。
【００４２】
ここで、文字入力容量を示す文字のフォントは、入力された文字（表示される入力文字）のフォントとは異なっていることが好ましく、また、添字としてもよい。さらに、文字入力容量を示す文字の色も、表示される入力文字とは異なっていることが好ましい。但し、同一のフォント、色としてもよいことはもちろんである。
【００４３】
文字入力容量がページを含む場合には、「容量／ページ」として表示する。例えば、３ページまで入力可能なＬＭＳ（Ｌｏｎｇ  Ｍｅｓｓａｇｅ  Ｓｅｒｖｉｃｅ）を使用する場合には、制御部２０６は、該当ページにおける入力可能な文字数のみを計算し、これを「入力可能な文字数／該当ページ」として表示する。
【００４４】
また、制御部２０６は、文字入力容量に応じて所定の色表示子（所定要素）の色を変更させるように制御する。
【００４５】
色表示子の色は、赤色、緑色、青色で構成されるＲＧＢ（Ｒｅｄ−Ｇｒｅｅｎ−Ｂｌｕｅ）カラーモデルを用いて表示されるか、色相、明度及び彩度で構成されたＨＳＢ（Ｈｕｅ−Ｓａｔｕｒａｔｉｏｎ−Ｂｒｉｇｈｔｎｅｓｓ）カラーモデルを用いて表示される。
【００４６】
例えば、ＨＳＢカラーモデルを用いる場合には、上述した表２のように、色の構成要素のうち明度のみを入力可能容量に応じて変更することもできる。
【００４７】
このような文字入力容量（入力可能容量）に応じた色表示子の色は、ユーザによって設定されるか、又はデフォルト設定されている。
【００４８】
なお、上記色表示子とは、文字入力ウィンドウで表示される各要素のうち文字入力容量に応じてその色が変更されるように設定されたものをいい、文字、カーソル、アンダーライン、背景画面などが含まれる。例えば、色表示子が文字である場合には、入力文字を表示しながら、上述した表２に従って当該入力文字の色を変更し、表示される入力文字の色によって文字入力容量（入力可能な容量）の程度をユーザに知らせる。
【００４９】
図２は、文字入力容量が表示される過程を概略的に示したフローチャートである。
【００５０】
ユーザによってキー入力部２０２を介して文字が入力されると（Ｓ３０２）、キー入力部２０２は、入力された文字に応じた信号を発生し、これを制御部２０６に伝送する。ここで、入力される文字には、ハングル、英語、特殊文字、絵文字など様々な文字が含まれる。
【００５１】
制御部２０６は、伝送された信号を用いて入力された文字の容量（使用容量）を計算する（Ｓ３０４）。ここで、使用容量は入力された文字をバイトで計算した値をいい、公知の技術によって計算される。
【００５２】
なお、メッセージの種類などによっても最大伝送容量が変わるので、文字入力容量を計算するために、まず、最大伝送容量を決定する（Ｓ３０６）。ここで、最大伝送容量は、ユーザがＳＭＳ（Ｓｈｏｒｔ  Ｍｅｓｓａｇｅ  Ｓｅｒｖｉｃｅ）、ＬＭＳ（Ｌｏｎｇ  Ｍｅｓｓａｇｅ  Ｓｅｒｖｉｃｅ）、ＭＭＳ（Ｍｕｌｔｉ  Ｍｅｓｓａｇｅ  Ｓｅｒｖｉｃｅ）などを含む多様なメッセージサービスの中からいずれか一つを選択した場合には、該選択されたメッセージサービスにおいて伝送可能な（許容されている）最大容量であり、通常はデフォルト設定されている。
【００５３】
次に、制御部２０６は、Ｓ３０４で計算された入力された文字の使用容量及びＳ３０６で決定された最大伝送容量を用いて、文字入力容量として文字入力が可能な容量を計算する（Ｓ３０８）。ここで、文字入力可能な容量は、例えば、バイト（使用容量／最大容量、最大伝送容量−使用容量）、パーセント（（使用容量／最大伝送容量）×１００）又は文字数（入力文字数／最大入力文字数、最大入力文字数−入力文字数）などで表される。また、複数ページのメッセージを作成して伝送する場合には、制御部２０６は、現在作成中のページを用いて残りページ数を計算する。ただし、入力可能な容量ではなく、既に入力された文字の容量を文字入力容量とする場合は、Ｓ３０６及びＳ３０８を行わないこともある。
【００５４】
次に、制御部２０６は、Ｓ３０８で計算された文字入力が可能な容量（文字入力容量）をディスプレイ部２０８（メッセージ入力ウィンドウ）に表示させる（Ｓ３１０）。なお、文字入力容量が既に入力された文字の容量である場合には、Ｓ３０４で計算された値（又は文字数）をディスプレイ部２０８に表示させる。ここで、ディスプレイ部２０８において、文字入力容量は、入力文字の表示方向の終端に、すなわち、入力された文字の表示方向の後方に表示される。
【００５５】
ここで、文字入力容量を示す文字の色及びフォントは、入力された文字とは異なることが好ましいが、同じであってもよい。
【００５６】
また、制御部２０６は、文字入力容量を表示することに加えて又は代えて、色表示子の色を変更して文字入力容量を示すこともできる。この場合は、上述したように、文字入力容量に応じて、表示される入力文字の色、カーソル（又はアンダーバー）の色又は背景画面の色が変更される。
【００５７】
さらに、文字入力容量（入力可能な容量）が０である場合、すなわち、これ以上文字を入力できない場合には、制御部２０６は、文字入力容量に代えて、「ｆｕｌｌ」、「ｅｎｄ」や特定文字を表示するようにしてもよい。このような表示は、ユーザによって設定されるか、デフォルト設定される。
【００５８】
また、このとき、表示された「ｆｕｌｌ」、「ｅｎｄ」又は特定文字を点滅させたり、表示された文字全体を点滅させたりするようにしてもよい。このような文字の点滅は公知の技術により実現できる。
【００５９】
さらに、これ以上文字を入力できないことをユーザに知らせるために、効果音を出力するようにしてもよい。かかる効果音は、ユーザによって設定されるか、デフォルト設定される。
【００６０】
なお、他の実施形態に係る文字入力容量の表示方法としては、アンダーラインを用いる方法が挙げられる。この場合には、例えば、アンダーラインの色相を文字入力容量に応じて変更する。例えば、アンダーラインの色相を明度の大きい色相から小さい色相へと順次変更することが考えられる。また、文字入力容量をアンダーラインの長さで表示するようにしてもよい。例えば、文字入力可能な容量が小さい場合には、短いアンダーラインを付すようにする。
【００６１】
上記Ｓ３０２〜Ｓ３１０は、ユーザが文字を入力しているあいだ継続的に反復される。したがって、文字入力容量の表示位置は、ユーザによって文字が入力されるたびに変化することになる。
【００６２】
図３は、本発明の実施形態に係るメッセージ入力ウィンドウにおける表示例を示している。
【００６３】
図３（ａ）は、入力された文字（Ａ．Ｇ）の後に文字入力容量として（＋１８５）が表示されており、入力可能な容量が１８５であることを示しており、図３（ｂ）は、同様に、入力可能な容量が１５０である場合を示している。この場合、文字入力容量を示す文字は、入力された文字とは異なった色で表示され、文字入力容量を示す文字の大きさは、入力された文字と同一である。但し、これに限るものではなく、文字入力容量と入力された文字とを同じ色で表示してもよいし、異なる大きさとしてもよい。また、文字入力容量を示す文字を入力された最後の文字の下添字や上添字とすることもできる。
【００６４】
図３（ｃ）は、入力可能な容量が０となり、これ以上文字を入力できないときの表示である。ここでは、文字入力容量が表示される位置に「ｆｕｌｌ」が表示されている。このとき、「ｆｕｌｌ」又は文字全体を点滅させるようにしてもよい。
【００６５】
図４は、本発明の他の実施形態に係るメッセージ入力ウィンドウにおける表示例を示している。
【００６６】
図４（ａ）に示すように、ユーザによって文字が入力されると、入力された文字がアンダーラインを付されて表示される。このとき、アンダーラインの色は、文字入力容量に応じて変更される。そして、入力可能な容量が０となり、これ以上文字を入力できなくなると、図４（ｂ）に示すように、最後の文字の後に「ｆｕｌｌ」が表示される。なお、アンダーラインの色は、文字入力容量に応じて（入力可能な容量ごとに）異なる色として表示される。
【００６７】
以上、本発明を例示的な実施形態に基づいて説明してきたが、本発明の属する技術分野で通常の知識を有する者であれば、本発明の本質的な特性から逸脱しない範囲で多様な修正及び変形が可能である。したがって、上記実施形態は、本発明の技術思想を説明するためのものに過ぎず、これによって本発明の技術的範囲が限定されることはない。
【図面の簡単な説明】
【００６８】
【図１】本発明の実施形態に係る端末機の構成を概略的に示したブロック図である。
【図２】文字入力容量が表示される過程を概略的に示したフローチャートである
【図３】実施形態に係るメッセージ入力ウィンドウにおける表示例である。
【図４】他の実施形態に係るメッセージ入力ウィンドウにおける表示例である。
【図５】従来のメッセージ入力ウィンドウの表示例を示す図である。
【符号の説明】
【００６９】
２０２…メモリ、２０４…キー入力部、２０６…制御部、２０８…ディスプレイ部
【図１】
2007149105.tif 000005
【図２】
2007149105.tif 000006
【図３】
2007149105.tif 000007
【図４】
2007149105.tif 000008
【図５】
2007149105.tif 000009